(57)【特許請求の範囲】
【請求項１】
可撓性をもつ管状体による導入路から入れ込まれる硬貨を水平方向の搬送路によって搬送する硬貨搬送装置であって、前記導入路と前記搬送路とを接続する接続箇所に前記導入路の方向と前記搬送路の方向との交差角度を変更して固定する接続固定部分を設けるとともに、前記交差角度を変更することにより、前記可撓性による前記管状体の屈曲を所定の曲率以下に低減する曲率低減手段を具備することを特徴とする硬貨搬送装置。
【請求項２】
可撓性をもつ管状体による導入路から入れ込まれる硬貨を水平方向の搬送路によって搬送する硬貨搬送装置であって、前記導入路と前記搬送路とを接続する接続箇所に前記導入路の方向と前記搬送路の方向とを斜めの交差角度にして固定する接続固定部分を設けるとともに、前記交差角度によって前記可撓性による前記管状体の屈曲を所定の曲率以下に低減する曲率低減手段を具備することを特徴とする硬貨搬送装置。
【請求項３】
請求項１または２に記載の硬貨搬送装置を具備することを特徴とするパチンコ台島装置。
【発明の詳細な説明】
【０００１】
【発明の属する技術分野】
この発明は、硬貨を水平方向の搬送路によって搬送する硬貨搬送装置ならびにその利用装置、例えば、パチンコ台島装置に関するものである。
【０００２】
【従来の技術】
こうした硬貨搬送装置として、一種の小型のベルトコンベヤを用いた水平方向の搬送路により、硬貨を目的の箇所、例えば、収納部分に搬送するようにした図１５〜図１９のような硬貨搬送装置２００の構成（以下、第１従来技術という）が周知である。
【０００３】
なお、以下の各図において、同一の符号で示す部分は、いずれかの図において説明する同一符号の部分と同一の機能をもつ部分である。また、この発明において、水平とは水平から±２０°程度の傾斜をもつ範囲を含むものであり、垂直とは垂直から±２０°程度の傾斜をもつ範囲を含むものである。さらに、この発明において、部材とは所要の部分を構成する構成材をいうものである。
【０００４】
図１５〜図１７において、硬貨搬送装置２００は、硬貨入口２１から入れ込んだ硬貨１０を、硬貨入込部分２０Ｘ内の通路（図示せず）を通して導入路２２から搬送路２０に入れ込み、搬送路２０の終端に設けた収納部分８０に入れ込むように構成してある。なお、この発明において、上流側・下流側とは搬送路２０の搬送方向Ｍにおける上流側・下流側をいうものである。
【０００５】
搬送路２０は、図１５〜図１７のように、無端状のベルト１２を掛け渡した両端のベルト車、すなわち、プーリ１１Ａ・１１Ｂを、駆動モータ２６Ａと減速伝動機構２６Ｂとの組み合わせによる駆動部分２６によって、回転することにより、ベルト１２の上に入れ込まれた硬貨１０を水平方向に搬送している。
【０００６】
導入路２２は、可撓性をもつ管状体、例えば、図１８のように、密着コイル状の管状体２２Ｐを主体にして構成してあり、硬貨入込部分２０Ｘの硬貨出口２０Ｙと、導入路２２と搬送路２０との接続箇所２０Ｚとの間における硬貨１０の通過を、阻止することなく、円滑に行える曲率をもった流路にできるように構成している。なお、必要に応じて、管状体２２Ｐを、例えば、ベローズなどのような蛇腹状の可撓性をもつ管状体に変更して構成し得ることは言うまでもない。
【０００７】
図１８において、管状体２２Ｐは、例えば、直径が１．５ｍｍ程度の鋼線２２ｗを線間が密着したコイル状に巻いて、内部に断面が細長い長円形状の通路２２ｖを形成した密着コイル状体であって、長円形状の通路２２ｖの内径寸法における短径ｄ２を最も大きい硬貨１０の厚みの３倍程度、例えば、６．５ｍｍ程度にし、長径ｄ１を最も大きい硬貨１０の直径の１．２倍程度、例えば、３３ｍｍ程度にして形成したものである。
【０００８】
したがって、外形寸法では、短径Ｄ２が９．５ｍｍ程度、長径Ｄ１が３６ｍｍ程度になっている。なお、管状体２２Ｐは、メーカによって、長径Ｄ１・短径Ｄ２の寸法に約１ｍｍ程度の差異がある。また、搬送路２０の接続箇所２０Ｚには、管状体２２Ｐの長円形状の通路２２ｖよりも大きい入込穴２０Ｚ１を設けて、硬貨１０が搬送路２０の内部に入り込めるように構成してあることはいうまでもない。
【０００９】
搬送路２０は、図１９のように、ベルト１２を案内する案内部分１３を、例えば、縦断面をＨ字形に形成した案内体１３Ａを主体にして構成してあり、Ｈ字形の水平部分１３Ａ１の上面でベルト１２の往側を案内するとともに、ベルト１２の復側を水平部分１３Ａ１の下方側に通すように構成している。
【００１０】
案内体１３Ａの上方側には蓋体１３Ｂを設けて他の落下物などが搬送路２０の内部に入らないようするとともに、必要に応じて、下方側にも蓋体１３Ｃを設けている。
【００１１】
案内部分１３は、例えば、合成樹脂材または鋼板で構成してあり、鋼板の場合には、縦方向の部材と水平方向の部材とをスポット溶接などによって一体に組み立てている。なお、図１５〜図１７では、構成を理解し易くするために案内部分１３を箱状の図形に省略して画いてある。
【００１２】
転向部分６０は、図１７のように、導入路２２から搬送路２０に入れ込まれた硬貨１０が搬送方向Ｍに沿った方向に向かって入れ込まれるように転向させるためのものであって、転向部分６０の下端とベルト１２との間の隙間６１の部分を上流側からの硬貨１０が通れるように構成してある。なお、転向部分６０は、合成樹脂板または鋼板などで形成してあり、案内部分１３にねじ止めまたはスポット溶接などによって固定している。
【００１３】
分離ローラ２５は、図１７のように、搬送方向Ｍを横断する方向の突起２５Ａを設けたローラであって、突起２５Ａの先端とベルト１２の上面との間の隙間２５Ｂを硬貨１０の厚さ程度にするとともに、減速伝動機構２６Ｂによって、突起２５Ａの先端を搬送方向Ｍと逆向きに回転させている。
【００１４】
この回転により、同図の分離ローラ２５の上流側に示したように、重なり合って搬送されてくる硬貨１０を、突条２５Ａが１枚ずつに分離して、下流側に送るように構成してある。このため隙間２５Ｂを調整するための調整機構（図示せず）を設けてあるが、内部の搬送構成を理解し易くするために、調整機構の部分を省略して画いてある。
【００１５】
収納部分８０は、図１５・図１７のように、搬送路２０の終端に配置した収納口８０Ａから入れ込まれる硬貨１０を、計数部分８１、例えば、ホール素子によって硬貨１０の通過を検出して硬貨１０の通過量を計数する計数部分によって計数した後に、貯留箱８２に入れ込んで貯留するように構成してあり、外側に盗難防止用の保護覆８３を設けてある。
【００１６】
なお、収納部分８０は、適宜の固定用部材（図示せず）によって、保護覆８３の上流側の壁部５１に固定してある。なお、この壁部５１は、後記のパチンコ台島装置５００の場合には、パチンコ台島装置５００の外箱５０の壁部５１になっている。
【００１７】
こうした硬貨搬送装置２００を利用する装置として、図１５のようなパチンコ台島装置５００の構成（以下、第２従来技術という）が周知である。そして、パチンコ遊技機またはパチンコ遊技機に跳ね返しゲート機能やスロットマシン機能を設けたパチンコ・スロット遊技機などの遊技機（この発明では、これらの遊技機を総称して、パチンコ台という）１００を複数配置して１つのブロック状に構成したものをパチンコ台島装置５００と言い、このパチンコ台島装置５００は、パチンコ店の内部において、あたかも複数の「島」を配置したように見えるので、通称を「島」とも呼ばれている。
【００１８】
パチンコ台装置５００には、図１５・図１６のように、パチンコ台１００の遊技に使用する遊技球（図示せず）の貸付を行う玉貸機４０をパチンコ台１００の右側または左側に配置している。この玉貸機４０は、主として、パチンコ台１００の間に配置されるので、台間型玉貸機４０とも言っており、一般に、台間機と略称されている。
【００１９】
図１５には図示していないが、図１６のように、玉貸機４０には、硬貨入込部分２０Ｘ・紙幣入込部分３０Ｘ・遊技球送出部分７０Ｘとが設けてある。硬貨入込部分２０Ｘは硬貨入口２１から入れ込まれた硬貨１０が正規の硬貨か否かを判別して、正規の硬貨であるときは、入れ込まれた硬貨１０の金額に対応する遊技球（図示せず）を遊技球送出部分７０から所定の送出路（図示せず）を経て遊技者の手元またはパチンコ台１００の遊技球受皿（図示せず）に送出する。なお、正規でない硬貨１０は所定の返却口（図示せず）に戻し入れる。
【００２０】
硬貨入込部分２０Ｘを通過した硬貨１０は、導入路２２を通って下方に配置された水平方向の搬送路２００により搬送され、搬送路２００の終端に配置した硬貨の収納部分８０に収納される。
【００２１】
紙幣入込部分３０Ｘは紙幣入口３１から入れ込まれた紙幣３０が正規の紙幣か否かを判別して、正規の紙幣であるときは、入れ込まれた紙幣３０の金額に対応する遊技球（図示せず）を遊技球送出部分７０から、上記の硬貨入込部分２０Ｘの場合と同様に送出する。なお、正規でない紙幣３０は紙幣入込口３１から戻し出される。
【００２２】
紙幣入込部分３０Ｘを通過した紙幣３０は、奥側に配置された水平方向の紙幣搬送路３００により搬送されて、紙幣搬送路３００の終端に配置した紙幣の収納部分（図示せず）に収納される。
【００２３】
硬貨１０は、硬貨入込部分２０Ｘと導入路２２とを、硬貨２０の自重で通過させるように構成しているため、硬貨搬送路２００を硬貨入込部分２０Ｘよりも下方に配置するようにしてある。
【００２４】
玉貸機４０は装置の外箱５０の下方に設けた台枠部分５０Ａと上方に設けた蓋枠部分５０Ｂとに、適宜の固定用部材（図示せず）によって固定してあり、紙幣３０の搬送路３００は玉貸機４０の背面側に適宜の固定用部材（図示せず）によって固定してあり、硬貨２０の搬送路２００は玉貸機４０の背面側または台枠部分５０Ａに適宜の固定用部材（図示せず）によって固定してある。
【００２５】
なお、玉貸機４０を、外枠部分４０Ａと本体部分４０Ｂとで構成し、上記の各固定を外枠部分４０Ａで行った後に、本体部分４０Ｂを外枠部分４０Ａに差し込んだ後に、適宜の鍵止め用部材（図示せず）で固定するように変更した構成（以下、第３従来技術という）も周知である。
【００２６】
上記の第１従来技術・第２従来技術の構成では、搬送路２０を１つの搬送路で構成しているが、図２０のように、搬送路２０を複数に分割、例えば、硬貨入込部分２０Ｘの２つ置きに、分割した分割搬送路２０Ａを設けるように変更した構成（以下、第４従来技術という）が周知である。
【００２７】
図２０において、各分割搬送路２０Ａの間は、連動機構２３、例えば、ベルト伝動機構または歯車伝動機構で連動するとともに、各分割搬送路２０Ａの間を橋渡しして補助的に搬送を行うための補助路２４、例えば、板状体を配置して、硬貨１０を連続的に搬送できるように構成してある。
【００２８】
上記の第１従来技術〜第４従来技術の構成では、搬送路２０の最終端に配置する導入路２２の接続箇所２０Ｚにおける硬貨１０の入込方向を水平面内において搬送方向Ｍと硬貨１０の直径方向とが平行になる方向に配置し、それ以外の接続箇所２０Ｚ、つまり、途中の接続箇所２０Ｚでは、水平面内において搬送方向Ｍと硬貨１０の直径方向とが直交するように配置しているが、搬送路２０の最終端に配置する導入路２２の接続箇所２０Ｚも、他の接続箇所２０Ｚと同様に、水平面内において搬送方向Ｍと硬貨１０の直径方向とが直交するように変更した構成（以下、第５従来技術という）も周知である。
【００２９】
また、上記の第１従来技術・第３従来技術〜第５従来技術の硬貨搬送装置２００の構成では、硬貨入込部分２０Ｘを前側と後側との両側に配置しているが、硬貨入込部分２０Ｘ・導入路２２を、前側のみ、または、後側のみ、すなわち、片側のみに配置した構成（以下、第６従来技術という）が周知である。
【００３０】
さらに、第２従来技術〜第５従来技術のパチンコ台島装置５００では、導入路２２・台間型玉貸機４０・パチンコ台１００を、前側のみ、または、後側のみ、すなわち、片側のみに配置した構成（以下、第７従来技術という）が周知である。
【００３１】
【発明が解決しようとする課題】
上記の第１従来技術〜第４従来技術の構成において、硬貨搬送装置２００では、硬貨入込部分２０Ｘの配置の都合によって、図１６・図２１のように、搬送路２０の最終端に配置した硬貨入込部分２０Ｘの硬貨出口２０Ｙから収納部分８０までの搬送方向における距離（以下、搬送方向装備距離という）Ｌｘが変化する。
【００３２】
また、パチンコ台島装置５００では、装置の外箱５０の全長Ｌｚに対する各パチンコ台１００・台間型玉貸機４０の搬送方向Ｍの長さＬ１・Ｌ２の差異によって、同様に、搬送方向装備Ｌｘが変化する。
【００３３】
この搬送方向装備距離Ｌｘの変化によって、搬送路２０の最終端に配置した導入路２２の硬貨出口２０Ｙから接続箇所２０Ｚまでの搬送方向Ｍにおける距離（以下、接続距離という）Ｌｙが変化するため、図２１の〔小距離組付状態〕のように、導入路２２の管状体、例えば、密着コイル状の管状体２２Ｐの可撓性による屈曲の曲率１／Ｒが大きくなり、硬貨１０が導入路２２内を通過できない状態になるという不都合が生ずる。
【００３４】
さらに、硬貨搬送装置２００では、硬貨入込部分２０Ｘの配置の都合によって、また、パチンコ台島装置５００では、パチンコ店の店内配置の都合によって、図１６・図２１のように、前側と後側との硬貨入込部分２０Ｘを配置する幅Ｗが変化するため、搬送路２０の最終端に配置した硬貨入込部分２０Ｘの硬貨出口２０Ｙから接続箇所２０Ｚまでの搬送方向Ｍと直交する方向における距離（以下、直交方向装備距離という）Ｌｖが変化する。
【００３５】
この直交方向装備距離Ｌｖの変化によって、図２１の〔小幅組付状態〕のように、導入路２２の管状体、例えば、密着コイル状の管状体２２Ｐの可撓性による屈曲の曲率１／Ｒが大きくなり、硬貨１０が導入路２２内を通過できない状態になるという不都合が生ずる。
【００３６】
つまり、具体的には、例えば、図２２のように、導入路２２の途中箇所に、導入路２２の管状体、例えば、密着コイル状の管状体２２Ｐに、長手方向の曲がりと捩り方向の曲がりとによる極度な屈曲箇所２２ｘが生じて、硬貨１０が導入路２２内を通過できずに、屈曲箇所２２ｘで硬貨１０が行き詰まってしまうことになる。なお、この発明において、曲率１／Ｒとは、長手方向の曲がりと捩り方向の曲がりとによる総合的な曲率をいうものである。
【００３７】
こうした不都合は、上記の第４従来技術の構成において、連動機構２３・補助路２４の配置位置の都合によって、搬送方向装備距離Ｌｘ・直交方向装備距離Ｌｖの変化と同様の距離変化が生ずるため、例えば、図２３のように、導入路２２の途中箇所に、図２２の場合と同様の屈曲箇所２２ｘが生じて、硬貨１０が行き詰まってしまうという不都合がある。
このため、こうした不都合のない硬貨搬送装置ならびにその利用装置、例えば、パチンコ台島装置の提供が望まれているという課題がある。
【００３８】
【課題を解決するための手段】
本発明は、可撓性をもつ管状体による導入路から入れ込まれる硬貨を水平方向の搬送路によって搬送する硬貨搬送装置であって、前記導入路と前記搬送路とを接続する接続箇所に前記導入路の方向と前記搬送路の方向との交差角度を変更して固定する接続固定部分を設けるとともに、前記交差角度を変更することにより、前記可撓性による前記管状体の屈曲を所定の曲率以下に低減する曲率低減手段を具備することを特徴としている。
【００３９】
また、本発明は、可撓性をもつ管状体による導入路から入れ込まれる硬貨を水平方向の搬送路によって搬送する硬貨搬送装置であって、前記導入路と前記搬送路とを接続する接続箇所に前記導入路の方向と前記搬送路の方向とを斜めの交差角度にして固定する接続固定部分を設けるとともに、前記交差角度によって前記可撓性による前記管状体の屈曲を所定の曲率以下に低減する曲率低減手段を具備することを特徴としている。
【００４０】
さらに、本発明は、パチンコ台島装置において、上記構成による硬貨搬送装置を具備することを特徴としている。
【００４４】
【発明の実施の形態】
この発明の実施の形態として、上記の第１従来技術〜第７従来技術の構成に、この発明を適用した実施例を説明する。
【００４５】
【実施例】
〔第１実施例〕
以下、図１〜図６により第１実施例を説明する。この第１実施例の構成が上記の第１従来技術〜第３従来技術の構成と異なる箇所は次の箇所である。
【００４６】
第１には、図１のように、１つの導入路２２に対する搬送路２０との接続箇所２０Ｚを搬送路２０に沿って、複数、例えば、適宜の間隔Ｐ１を置いて２箇所設けるようにした箇所である。
【００４７】
第２には、図１の〔小距離組付状態〕または〔大距離組付状態〕のように、複数の接続箇所２０Ｚのうちの１つを選択して、導入路２２と搬送路２０との接続を行うことにより、導入路２２の管状体２２Ｐの可撓性による管状体２２Ｐの屈曲の曲率１／Ｒを、所定の曲率１／Ｒｓ以下、すなわち、導入路２２内を硬貨１０が通過できる曲率限度の曲率以下に低減するように構成した箇所である。
【００４８】
図１において、搬送方向装備距離Ｌｘが小さいときは、〔小距離組付状態〕のように、複数の接続箇所２０Ｚのうちの下流側の接続箇所２０Ｚを選択して、導入路２２を搬送路２０に接続することにより、接続距離Ｌｙを曲率１／Ｒが所定の曲率１／Ｒｓ以下にできる距離になるように構成にしてある。
【００４９】
また、搬送方向装備距離Ｌｘが大きいときは、〔大距離組付状態〕のように、複数の接続箇所２０Ｚのうちの上流側の接続箇所２０Ｚを選択して、導入路２２を搬送路２０に接続することにより、実質的な接続箇所を間隔Ｐ１だけ上流側に移動させて、接続距離Ｌｙを曲率１／Ｒが所定の曲率１／Ｒｓ以下にできる距離になるように構成してある。
【００５０】
したがって、複数の接続箇所２０Ｚの数と間隔Ｐ１とを予め想定される搬送方向装備距離Ｌｘの変化量に対応させて設けることにより、複数のうちのいずれか１つを選択して接続すれば、接続距離Ｌｙを曲率１／Ｒを所定の曲率１／Ｒｓ以下にできる距離にすることができるわけである。
【００５１】
なお、図示していないが、直交方向装備距離Ｌｖの変化に対しても、接続箇所２０Ｚの数と間隔Ｐ１とを予め想定される直交方向装備距離Ｌｖの変化量に対応させて設けることにより、同様にして、曲率１／Ｒを所定の曲率１／Ｒｓ以下にできる距離にすることができるわけである。
【００５２】
つまり、この第１実施例の構成は、概括的には、第１には、
可撓性をもつ管状体、例えば、密着コイル状の管状体２２Ｐによる導入路２２から入れ込まれる硬貨１０を水平方向の搬送路２０によって搬送する硬貨搬送装置２００において、
【００５３】
上記の導入路２２と上記の搬送路２０とを接続する接続箇所２０Ｚを上記の搬送路２０に沿って複数設けるとともに、上記の複数のうちの１つを選択して上記の接続を行うことにより、上記の可撓性による上記の管状体２２Ｐの屈曲を所定の曲率１／Ｒｓ以下に低減する曲率低減手段
を設けた上記の第１の構成を構成しているものである。
【００５４】
第２には、パチンコ台島装置５００において、上記の第１の構成・第４の構成による硬貨搬送装置２００を設けた上記の第５の構成を構成していることになるものである。
【００５５】
そして、具体的には、図３・図４のように、導入路２２は、図１８と同様の密着コイル状の管状体２２Ｐを主体にして構成してあり、導入路２２の下端側の端末部分に、図３のように、垂直方向の姿勢のままで、接続箇所２０Ｚに接続するための端末接続用部材２２Ｓを設ける垂直接続型の導入路２２の構成と、図４のように、斜め方向の姿勢で、接続箇所２０Ｚに接続するための端末接続用部材２２Ｒを設ける斜め接続型の導入路２２の構成との２つの接続構成ができるように構成してある。
【００５６】
図３において、端末接続用部材２２Ｓは、比較的強靭な弾性もつ合成樹脂材、例えば、ポリアセタール樹脂材などで形成してあり、管状体２２Ｐを入れ込んで保持するための保持枠部分２２Ｓ１と、保持部分２２Ｓ１内に管状体２２Ｐを固定するための固定枠部分２２Ｓ２とで構成してある。
【００５７】
保持枠部分２２Ｓ１は、図３の〔分解状態〕の姿勢において、横断面が上向きコ字形、すなわち、Ｕ字形の基体部分ｓ１の上向きの開口部分ｓ２の両側に上向きの掛け爪ｓ３を設け、管状体２２Ｐの両側の引っ掛け溝２２ｇ、例えば、隣接する鋼線２２ｗの間の溝に入れ込むための縦方向の突条ｓ４を内側に設けるとともに、一端側から両側に張り出した固定用の張出部分ｓ５を設けて構成してある。
【００５８】
固定枠部分２２Ｓ２は、平面の中央に長四角形の貫通穴ｓ１１を設けたロ字形に形成した部材であり、貫通穴ｓ１１に保持枠部分２２Ｓ１の掛け爪ｓ３を無理に押し込むと掛け爪ｓ３が貫通穴ｓ１１の縁に掛け止めされるように構成してある。
【００５９】
そして、図３の〔分解状態〕の配置状態で、管状体２２Ｐを保持枠部分２２Ｓ１の開口部分ｓ２から保持枠部分２２Ｓ１の中に入れ込むと、管状体２２Ｐの引っ掛け溝２２ｃに突条ｓ４が入り込み、その状態で、掛け爪ｓ３を固定枠部分２２Ｓ２の貫通穴ｓ１１に入れ込むと、図３の〔組立状態〕のように、端末接続用部材２２Ｓが管状体２２Ｐに組付固定されて、垂直接続型の導入路２２として構成される。なお、搬送路２０に対する固定は、張出部分ｓ５に設けた取付穴２２ｂを取付ねじ２２ａで固定するように構成してある。
【００６０】
図４の〔分解状態〕において、端末接続用部材２２Ｒは、斜め方向の導管部分２２Ｌ１と垂直方向の導管部分２２Ｌ２とを連続させた曲管状体２２Ｌ、すなわち、斜めに折れ曲がる流路をもつエルボー状の曲管状体を基体にして形成してあり、曲管状体２２Ｌの上端側には張出部分ｓ２１を、曲管状体２２Ｌの上端側には張出部分ｓ２２を設けて構成してある。
【００６１】
なお、曲管状体２２Ｌの内径は管状体２２Ｐの通路２２ｖの内径よりも少し大きい内径にしてあり、また、斜め方向の導管部分２２Ｌ１の垂直方向に対する傾斜角度θ１は、例えば、４５°程度にして、垂直面内における曲率１／Ｒを低減できるようにしてある。
【００６２】
なお、必要に応じて、傾斜角度θ１の異なるもの、例えば、３０°・４５°・６０°のものを予め揃えておくことにより、垂直面内における曲率１／Ｒを更に低減させることができる。
【００６３】
そして、端末接続用部材２２Ｒの張出部分ｓ２１に設けたねじ穴２２ｃに、図３における垂直接続型の導入路２２の張出部分ｓ５に設けた取付穴２２ｂの部分を取付ねじ２２ａで固定すると、図３の〔組立状態〕のように、斜め接続型の導入路２２として構成される。
【００６４】
そして、図４の斜め接続型の導入路２２による場合には、図２のように、張出部分ｓ２２に設けた取付穴２２ｄの部分を搬送路２０の下流側の接続箇所２０Ｚに設けたねじ穴２２ｅに取付ねじ２２ｆで組付固定すると、図１の〔小距離組付状態〕になり、上流側の接続箇所２０Ｚに設けたねじ穴２２ｅに、同様にして、組付固定すると、図１の〔大距離組付状態〕になる。
【００６５】
ここで、搬送路２０は、構成を理解し易くするために、図２では、図１９における案内部分１３の案内体１３Ａと蓋体１３Ｂとを一体にした形状に略して画いてある。
【００６６】
導入路２２を組付固定していない接続箇所２０Ｚの入込穴２０Ｚ１には、覆蓋２２Ｚ２、例えば、金属板または合成樹脂板の覆蓋を取付穴２２ｈと取付ねじ２２ｊとでねじ穴２２ｅに固定して、落下物などが搬送路２０の内部に入り込まないようにしている。なお、落下物などの可能性が無い場合には、必要に応じて、覆蓋２０Ｚ２を除去して構成できることはいうまでもない。
【００６７】
また、図３の垂直接続型の導入路２２による場合には、図５のように、張出部分ｓ５に設けた取付穴２２ｂの部分を搬送路２０の下流側の接続箇所２０Ｚに設けたねじ穴２２ｅに取付ねじ２２ａで組付固定すると、図１の〔小距離組付状態〕と同様の状態に、組付固定されることになり、上流側の接続箇所２０Ｚに設けたねじ穴２２ｅに、同様にして、組付固定すると、図１の〔大距離組付状態〕になる。
【００６８】
上記の曲率１／Ｒを所定の曲率１／Ｒｓ以下に低減することを、補助するために、導入路２２の上端側と、硬貨入込部分２０Ｘの硬貨出口２０Ｙとの接続部分を図６のように構成している。
【００６９】
図６において、上端固定用部材２２Ｔは、肉厚の薄い金属板、例えば、厚さ０．５ｍｍ程度のステンレス鋼板または亜鉛メッキ鋼板をプレス加工により成形したものである。そして、管状体２２Ｐを固定する枠体部分ｕ１は、管状体２２Ｐの外周を包囲する縦長四角形の枠形に形成するとともに、下方の開口部分ｕ２から張り出した張出部分ｕ３・ｕ４に設けた貫通穴ｕ５とねじ穴ｕ６の部分を締付用ねじｕ７で締め付けることによって、管状体２２Ｐの外周を挟み込んで固定するように構成してある。
【００７０】
枠体部分ｕ１の縦方向の壁部ｕ１１・ｕ１２の中間箇所には、管状体２２Ｐの上端部分２２ｋを押え込むための凹部ｕ１３を設けてあり、また、壁部ｕ１１・ｕ１２の外端側ｕ１０には、管状体２２Ｐの両側の引っ掛け溝２２ｍ、例えば、隣接する鋼線２２ｗの間の溝に入れ込むための掛け爪ｕ１４を設けるとともに、管状体２２Ｐの両側の側面に沿って張り出した２つの舌状部分ｕ１５を設けてある。
【００７１】
さらに、壁部ｕ１１・ｕ１２の内端側ｕ９には、入込部分２０Ｘの背面２０ａに沿って張り出した張出部分ｕ２１と、入込部分２０Ｘ内の硬貨１０の通路２０ｂに沿って張り出した張出部分ｕ２２とを設けるとともに、張出部分ｕ２１に取付穴ｕ２３を設けてある。
【００７２】
そして、図６の〔分解状態〕のように、管状体２２Ｐを上端固定用部材２２Ｔの開口ｕ２から枠体部分ｕ１に入れ込んだ後に、締付用ねじｕ７で締め付けることにより、管状体２２Ｐに上端固定用部材２２Ｔを組付固定した後に、上端固定用部材２２Ｔの取付穴ｕ２３を取付ねじ２２ｎで入込部分２０Ｘに設けたねじ穴２２ｐに組付固定すると、図６の〔組付状態〕になる。なお、この組付固定は、外枠部分４０Ａをもつ台間型玉貸機４０の場合には、外枠部分４０Ａに設けたねじ穴２２ｐに組付固定することになる。
【００７３】
ここで、水平方向に対する枠体部分ｕ１の上面ｕ１ａの傾斜角度θ２と、垂直方向に対する外端側ｕ１０の傾斜角度θ３は、それぞれ３０°程度になっているので、図６の〔組付状態〕にすると、管状体２２Ｐが水平方向に対して、３０°程度の下向き傾斜状態になるので、垂直面内における曲率１／Ｒを低減させることができる。
【００７４】
なお、必要に応じて、傾斜角度θ２・θ３の異なるもの、例えば、３０°・４５°・６０°のものを予め揃えておくことにより、垂直面内における曲率１／Ｒを更に低減させることができる。
【００７５】
また、図６の〔ロ−ロ横断平面〕のように、組付現場で作業員が舌状部分ｕ１５を手で曲線状に曲げることにより、水平面内における曲率１／Ｒを低減させることができるようにしてある。
【００７６】
〔第２実施例〕
以下、図７・図８により第２実施例を説明する。この第２実施例の構成は上記の第５従来技術の構成に上記の第１従来技術の構成を適用して構成したものであり、上記の第１実施例の構成と異なる箇所は次の箇所である。
【００７７】
第１には、図７の構成では、図２の構成に対して、接続箇所２０Ｚの入込穴２０Ｚ１とねじ穴２２ｅとを、上記の第５従来技術の構成と同様に、水平面内において搬送方向Ｍと硬貨１０の直径方向とが直交する配置になるように変更した箇所である。
【００７８】
第１には、図７の構成では、図２の構成に対して、接続箇所２０Ｚの入込穴２０Ｚ１とねじ穴２２ｅとを、上記の第５従来技術の構成と同様に、水平面内において搬送方向Ｍと硬貨１０の直径方向とが直交する配置になるように変更した箇所である。
【００７９】
第２には、図８の構成では、図５の構成に対して、接続箇所２０Ｚの入込穴２０Ｚ１とねじ穴２２ｅとを、上記の図７の構成と同様に、水平面内において搬送方向Ｍと硬貨１０の直径方向とが直交する配置になるように変更した箇所である。
【００８０】
つまり、この第２実施例の構成は、概括的には、上記の第１実施例の構成と同様に。上記の第１の構成・第４の構成・第５の構成を構成していることになるものである。
【００８１】
そして、図７の構成では、曲管状体２２Ｌによって導入路２２が搬送方向Ｍと交差する方向に傾斜させられているので、直交方向装備距離Ｌｖが比較的大きい場合に、曲率１／Ｒを所定の曲率１／Ｒｓ以下に低減できることになる。
【００８２】
また、図８の構成では、曲管状体２２Ｌが無く導入路２２を垂直方向にもできるので、直交方向装備距離Ｌｖが極度に小さい場合に、曲率１／Ｒを所定の曲率１／Ｒｓ以下に低減できることになる。
【００８３】
〔第３実施例〕
以下、図９・図１０により第３実施例を説明する。この第３実施例の構成が上記の第１実施例の構成と異なる箇所は次の箇所である。
【００８４】
第１には、図１０のように、接続箇所２０Ｚに、導入路２２の方向Ｓと、搬送路２０の搬送方向Ｍとを斜めの交差角度θ１１・θ１２にして固定できるようにするとともに、交差角度を時計方向の交差角度θ１１と反時計方向の交差角度θ１２とに変更して固定できるようにした接続固定部分を設けるように変更した箇所である。
【００８５】
第２には、上記第１によって、図９の〔小距離組付状態〕または〔大距離組付状態〕のように、交差角度θ１１または交差角度θ１２にして、導入路２２と搬送路２０との接続を行うことにより、導入路２２の管状体２２Ｐの可撓性による管状体２２Ｐの屈曲の曲率１／Ｒを、所定の曲率１／Ｒｓ以下、すなわち、導入路２２内を硬貨１０が通過できる曲率限度の曲率以下に低減するように構成した箇所である。
【００８６】
したがって、交差角度θ１１・θ１２を予め想定される搬送方向装備距離Ｌｘの変化量に対応させて設けることにより、交差角度θ１１または交差角度θ１２に変更して接続すれば、接続距離Ｌｙの変更に対して、曲率１／Ｒを所定の曲率１／Ｒｓ以下にできるようにすることができるわけである。
【００８７】
なお、図９の〔小距離組付状態〕と〔大距離組付状態〕とのように、直交方向装備距離Ｌｖの変化に対しても、交差角度θ１１・θ１２を予め想定される直交方向装備距離Ｌｖの変化量に対応させた角度にして設けることにより、同様にして、曲率１／Ｒを所定の曲率１／Ｒｓ以下にできる距離にすることができるわけである。
【００８８】
つまり、この第３実施例の構成は、概括的には、第１には、
上記の第１の構成における硬貨搬送装置２００と同様の硬貨搬送装置２００において、
上記の導入路２２と上記の搬送路２０とを接続する接続箇所２０Ｚに上記の導入路２２の方向Ｓと上記の搬送路の方向Ｍとの交差角度を、例えば、交差角度θ１１または交差角度θ１２に変更して固定する接続固定部分を設けるとともに、上記の交差角度を、例えば、交差角度θ１１または交差角度θ１２に変更することにより、上記の可撓性による上記の管状体２２Ｐの屈曲の曲率１／Ｒを所定の曲率以下１／Ｒｓに低減する曲率低減手段
を設けた上記の第２の構成を構成しているものである。
【００８９】
第２には、上記の第１の構成における硬貨搬送装置２００と同様の硬貨搬送装置２００において、
上記の導入路２２と上記の搬送路２０とを接続する接続箇所２０Ｚに上記の導入路２２の方向Ｓと上記の搬送路２０の方向Ｍとを斜めの交差角度θ１１またはθ１２にして固定する接続固定部分を設けるとともに、上記の交差角度θ１１またはθ１２によって上記の可撓性による上記の管状体２２Ｐの屈曲の曲率１／Ｒを所定の曲率以下１／Ｒｓに低減する曲率低減手段
を設けた上記の第３の構成を構成しているものである。
【００９０】
第３には、パチンコ台島装置５００において、上記の第２の構成・第３の構成による硬貨搬送装置２００を設けた上記の第５の構成を構成していることになるものである。
【００９１】
そして、具体的には、接続固定部分を、図１０のように、入込穴２０Ｚ１・ねじ穴２２ｅの複数方向分を複合させた入込穴２０Ｚｘ、例えば、搬送方向Ｍに沿った入込穴２０Ｚ１・ねじ穴２２ｅと、交差角度θ１１の方向、例えば、時計方向３０°の方向に沿った入込穴２０Ｚ１・ねじ穴２２ｅと、交差角度θ１２の方向、例えば、反時計方向３０°の方向に沿った入込穴２０Ｚ１・ねじ穴２２ｅとを１つの接続箇所２０Ｚに重ね合わせて加工した穴に変更したものである。
【００９２】
したがって、交差角度θ１１または交差角度θ１２の方向に対応するねじ穴２２ｅを選んで、導入路２２の下端側の取付穴２２ｂを取付ねじ２２ｆで固定すれば、図９の〔小距離組付状態〕または〔大距離組付状態〕にすることができるわけである。
【００９３】
なお、導入路２２を、図５の構成と同様に、図３の垂直接続型の導入路２２に変更して構成することによって、接続距離Ｌｙ・直交方向装備距離Ｌｖがごく小さい場合に、曲率１／Ｒを更に低減することができる。
【００９４】
〔第４実施例〕
以下、図９・図１１により第４実施例を説明する。この第４実施例の構成が上記の第３実施例の構成と異なる箇所は次の箇所である。
【００９５】
第１には、図１１のように、接続箇所２０Ｚに、導入路２２の方向Ｓを水平面内における全方向のうちの任意の方向に向けて、搬送路２０に接続できるようにした接続固定部分に変更して構成した箇所である。
【００９６】
第２には、上記の任意の方向を、例えば、図１０の構成と同様に、交差角度θ１１・θ１２にして固定すれば、図９の〔小距離組付状態〕または〔大距離組付状態〕によって説明したように、導入路２２の管状体２２Ｐの可撓性による管状体２２Ｐの屈曲の曲率１／Ｒを、所定の曲率１／Ｒｓ以下、すなわち、導入路２２内を硬貨１０が通過できる曲率限度の曲率以下に低減するように構成した箇所である。
【００９７】
つまり、この第３実施例の構成は、概括的には、上記の第３実施例の構成と同様に、上記の第２の構成・第３の構成・第５の構成を構成していることになるものである。
【００９８】
そして、具体的には、接続固定部分の構成を、図１１のように、搬送路２０の接続箇所２０Ｚには、入込穴２０Ｚ１に代えて、入込穴２０Ｚ１の対角点箇所の外径Ｄｘと同一の直径Ｄｘによる円形穴ｖ１を設けるとともに、導入路２２と搬送路２０との間に、中央に入込穴２０Ｚ１と同様の入込穴ｖ３を設けた交差角度変更用の間座ｖ２を配置することにより、導入路２２の方向Ｓを水平面内における全方向のうちの任意の方向に向けて、搬送路２０に接続できるように構成したものである。
【００９９】
図１１において、間座ｖ２は、金属板、例えば、ステンレス鋼板または亜鉛メッキ鋼板をプレス加工して形成してあり、中央に入込穴２０Ｚ１と同様の入込穴ｖ３と、ねじ穴２２ｅと同様のねじ穴ｖ４とを配置して、導入路２２の下端側をねじ２２ｆ・取付穴２２ｄにより間座ｖ２に固定できるように構成してある。
【０１００】
さらに、間座ｖ２には、導入路２２の下端側の張出部分ｓ２２の外周よりも取付ねじｖ５の頭の分だけ大きくした半径Ｒ１１の円弧と、取付ねじｖ５のねじ部分の幅とをもつ円弧状の長穴ｖ６を、円弧の扇形角度θ２１を９０°程度の大きさにして、接続箇所２０Ｚを中心とした対称位置に２箇所設けるとともに、搬送路２０の上面側には、円弧状の長穴ｖ６の半径Ｒ１１と同一半径の円周上にねじ穴ｖ７を４５°の等間隔で設けることにより、導入路２２の下端側を水平面内で回転にさせた任意の方向で、取付ねじｖ５・長穴ｖ６・ねじ穴ｖ７によって組付固定できるようにしてある。
【０１０１】
したがって、導入路２２の方向Ｓを任意の方向に向けた状態で、取付ねじｖ５によって搬送路２０に組付固定できるため、図９の〔小距離組付状態〕または〔大距離組付状態〕における交差角度θ１１・θ１２を、組付現場で任意の交差角度に変更して組付固定できるので、上記の第３実施例の場合よりも、曲率１／Ｒを、所定の曲率１／Ｒｓ以下にすることが、さらに、容易になるわけである。
【０１０２】
〔第５実施例〕
以下、図９・図１０・図１２により第５実施例を説明する。この第５実施例の構成が上記の第３実施例の構成と異なる箇所は次の箇所である。
【０１０３】
第１には、図９・図１０の構成では、交差角度θ１１・θ１２に変化させる中心位置（以下、角度変化中心位置という）を接続箇所２０Ｚ、すなわち、入込穴２０Ｚ１の中心位置にして構成していたが、この第５実施例の構成では、図１２のように、入込穴２０Ｚ１よりも上流側に設けた角度変化中心位置置２０Ｚ２に変更するとともに、導入路２２の下端側側を角度変化中心位置置２０Ｚ２にして下流側が交差角度θ１１・θ１２の方向に変化させて組付固定するように接続固定部分を変更して構成した箇所である。
【０１０４】
第２には、上記第１による交差角度θ１１・θ１２の変化によって、図９の〔小距離組付状態〕または〔大距離組付状態〕により説明したように、導入路２２の管状体２２ｐの可撓性による管状体２２Ｐの屈曲の曲率１／Ｒを、所定の曲率１／Ｒｓ以下、すなわち、導入路２２内を硬貨１０が通過できる曲率限度の曲率以下に低減するように構成した箇所である。
【０１０５】
つまり、この第５実施例の構成は、概括的には、上記の第３実施例の構成と同様に、上記の第２の構成・第３の構成・第５の構成を構成していることになるものである。
【０１０６】
そして、具体的には、図１２のように、交差角度θ１１・θ１２を変化させる中心点を接続箇所２０Ｚの位置、すなわち、入込穴２０Ｚ１の中心の位置に代えて、角度変化中心置２０Ｚ２を中心にして、上記の第１実施例の構成における入込穴２０Ｚ１を交差角度θ１１からθ１２までの間を移動させた扇形状の入込穴ｖ１１に変更しておき、導入路２２と搬送路２０との間に、図１１の構成における間座ｖ２と同様の間座ｖ１３を配置するとともに、間座ｖ１３の上流側に角度変化中心位置置２０Ｚ２に設けたねじ穴ｖ１４に取付ねじｖ１５で組付固定するための取付穴ｖ１６を設けることにより、導入路２２の方向Ｓを交差角度θ１１からθ１２までの方向のうちの任意の方向に向けて、搬送路２０に接続できるように構成したものである。
【０１０７】
間座ｖ１３が図１１の構成における間座ｖ２と異なる箇所は、上流側の角度変化中心位置置２０Ｚ２に設けた取付穴ｖ１６を中心として、導入路２２の下端側に設けた張出部分ｓ２２の外周よりも取付ねじｖ１７の分だけ大きい半径Ｒ２１の円弧で交差角度θ１１からθ１２に亙る扇形の扇形穴ｖ１８を設けるとともに、搬送路２０の上面側には扇形穴ｖ１８の半径Ｒ２１でθ１１・搬送方向Ｍ・θ１２の箇所にねじ穴ｖ１９を設けることによって、取付ねじｖ１７のいずれか２つと扇形穴ｖ１８とをねじ穴ｖ１７のうちのいずれか２つに組付固定するように構成したものである。
【０１０８】
なお、扇形穴ｖ１８の両脇の中間部分に設けた切欠穴ｖ２０は取付ねじ２２ｆの下端が交差角度θ１１・θ１２の箇所で邪魔にならないようにするための逃げ穴である。
【０１０９】
したがって、導入路２２の方向Ｓを交差角度θ１１から交差角度θ１２までの任意の方向に向けた状態で、取付ねじｖ１７によって搬送路２０に組付固定できるため、図９の〔小距離組付状態〕または〔大距離組付状態〕における交差角度θ１１・θ１２を、組付現場で、交差角度θ１１から交差角度θ１２までの間の任意の角度にして組付固定できるので、上記の第３実施例の場合よりも、曲率１／Ｒを、所定の曲率１／Ｒｓ以下にすることが容易になるわけである。
【０１１０】
〔第６実施例〕
以下、図１３・図１４により第６実施例を説明する。この第６実施例の構成が上記の第１実施例の構成と異なる箇所は次の箇所である。
【０１１１】
第１には、接続箇所２０Ｚに接続する導入路２２の下端側を、図１３のように、図７または図８の第５従来技術の構成と同様に、搬送方向Ｍと入れ込む硬貨１０の直径方向とが直交する方向になるように組付方向を変更した箇所である。
【０１１２】
第２には、導入路２２と搬送路２０とを接続する接続箇所２０Ｚを搬送路２０に沿って、例えば、図１３のように、距離Ｌｓの範囲で任意の位置に移動した後に、取付ねじｖ２６で固定できるようにした接続固定部分を設けるように変更した箇所である。
【０１１３】
第３には、上記第２による接続箇所２０Ｚの移動によって、図１３の〔小距離組付状態〕または〔大距離組付状態〕のように、導入路２２の管状体２２Ｐの可撓性による管状体２２Ｐの屈曲の曲率１／Ｒを、所定の曲率１／Ｒｓ以下、すなわち、導入路２２内を硬貨１０が通過できる曲率限度の曲率以下に低減するように構成した箇所である。
【０１１４】
なお、図１３では、移動させた後の状態を画いてあるので、導入路２２には屈曲が全く生じていないが、上記の移動がなければ、当然、導入路２２にはＳ字状、Ｚ字状などの複雑な屈曲が生ずるわけである。
【０１１５】
つまり、この第６実施例の構成は、概括的には、第１には、上記の第１の構成における硬貨搬送装置２００と同様の硬貨搬送装置２００において、
上記の導入路２２と上記の搬送路２０とを接続する接続箇所２０Ｚを上記の搬送路２０に沿って、例えば、距離Ｌｓの範囲で移動した後に固定する接続固定分を設けるとともに、上記の上記の移動、例えば、距離Ｌｓの範囲での移動によって上記の可撓性による上記の管状体２２Ｐの屈曲の曲率１／Ｒを所定の曲率１／Ｒｓ以下に低減する曲率低減手段
を設けた上記の第４の構成を構成しているものである。
【０１１６】
第２には、パチンコ台島装置５００において、上記の第４の構成による硬貨搬送装置２００を設けた上記の第５を構成していることにるものである。
そして、具体的には、接続箇所２０Ｚの搬送路２０に設ける入込穴２０Ｚ１の部分を、図１４のように、搬送路２０の搬送方向Ｍに沿って長さＬｒに広げた移動入込用長穴ｖ２２に構成するとともに、図１１の構成における間座ｖ２と同様の間座ｖ２１を、図１４のように、搬送方向Ｍに沿った移動固定用長穴ｖ２３を設けた短冊状の覆板に変更することによって、導入路２２の下端側が間座ｖ２１によって距離Ｌｓの範囲で移動できるよう構成したものである。
【０１１７】
図１４において、間座ｖ２１には、上流側に移動固定用長穴ｖ２３を移動する距離Ｌｓの長さにして設けてあり、また中央付近に入込穴２０Ｚ１・ねじ穴２２２２ｅと同様の入込穴ｖ３・ねじ穴ｖ４を設けるととともに、入込穴ｖ３の上流側に転向部分６０をスポット溶接・ねじ止めなどにより固定してある。
【０１１８】
また、移動入込用長穴ｖ２２の長さＬｒを移動固定用長穴ｖ２３の長さＬｓよりも入込穴ｖ３・転向部分６０の長さＬｔの分だけ大きくすることによって、入込穴ｖ３・転向部分６０が距離Ｌｓの範囲で移動できるように構成してある。
【０１１９】
さらに、転向部分の幅Ｂ１２を入込穴ｖ３の幅Ｂ１１と同一または幅Ｂ１１よりも大きくするとともに、転向部分の幅Ｂ１２と移動入込用長穴ｖ２２の幅Ｂ１３とを遊び嵌めできる程度の大きさにすることによって、転向部分６０が移動入込用長穴ｖ２２内を摺動しながら移動するように構成してある。
【０１２０】
なお、移動入込用長穴ｖ２２の下流側の中央に設けた切欠穴ｖ２４は、導入路２２を最下流側に移動した際に取付ねじ２２ｆの下端が邪魔にならないようにするための逃げ穴である。
【０１２１】
そして、導入路２２を取付ねじ２２ｆ・取付穴２２ｄ・ねじ穴ｖ４によって間座ｖ２１に組付固定した後に、入込穴ｖ３・転向部分６０の部分を移動入込用長穴ｖ２２に入れ込み、取付ねじｖ２６ｖ・移動固定用長穴ｖ２３を移動固定用長穴ｖ２３の上流側の設けたねじ穴ｖ２５に固定することによって、導入路２２を搬送路２０に組付固定できる。
【０１２２】
したがって、管状体２２Ｐの屈曲の曲率１／Ｒを所定の曲率１／Ｒｓ以下に低減した位置に導入路２２を位置付けるには、取付ねじｖ２６を緩めた状態で、導入路２２を移動して、図１３の〔小距離組付状態〕または〔大距離組付状態〕の状態にした後に、取付ねじｖ２６を締め付ければよいわけである。
【０１２３】
なお、図１３において、直交方向距離Ｌｖが更に小さい場合には、導入路２２を、図８の構成と同様に、図３の垂直接続型の導入路２２に変更して構成することによって、管状体２２Ｐの屈曲の曲率１／Ｒを所定の曲率１／Ｒｓ以下に低減することができる。
【０１２４】
〔変形実施〕
この発明は次のように変形して実施することを含むものである。
（１）図１０・図１１・図１２の構成における導入路２２を図３の垂直接続型の導入路２２に変更して構成する。
【０１２５】
（２）図１３・図１４の構成における導入路２２の下端側を、図１・図２の構成と同様に、入込口２０Ｚ１が搬送方向Ｍと平行な方向、すなわち、硬貨１０の直径方向が搬送方向と平行な方向になるように変更して構成する。
【０１２６】
（３）図１０・図１２の構成を、上記の第５従来技術の構成、すなわち、導入路２２を水平面内において搬送方向Ｍと硬貨１０の直径方向とが直交するよに配置した構成に適用して構成する。
【０１２７】
（４）第１実施例〜第６実施例・上記（１）〜（３）の構成のうちの任意の複数を組み合わせて構成することにより、さらに、曲率１／Ｒの低減を向上し得るように構成する。
【０１２８】
（５）第１実施例〜第６実施例・上記（１）〜（４）の構成を、図２０・図２３の構成における連動機構２３・補助路２４の上流側・下流側に位置付けられた導入路２２と搬送路２０との接続箇所２０Ｚに適用して構成する。
（６）第１実施例〜第６実施例・上記（１）〜（５）の構成を、上記の第６従来技術・第７従来技術の構成に適用して構成する。
【０１２９】
【発明の効果】
この発明によれば、以上のように、硬貨の入込部分の配置の都合によって搬送方向装備距離・直交方向装備距離が変化した場合でも、導入路と搬送路との接続箇所を、装置の組付現場で、複数所の接続箇所の１つを選択したり、導入路の方向と搬送路の方向との交差角度を変更したり、接続箇所を搬送路の方向に沿って移動したりすることができるので、導入路の管状体の可撓性による曲率を硬貨の通過が阻害されない曲率以下に低減できる。
【０１３０】
したがって、組付現場での再加工が不要になり、現場での作業期間を短縮できるので、硬貨搬送装置を安価に提供し得るほか、装置の設置場所の制限を緩和することができる。
【０１３１】
また、硬貨搬送装置を設けたパチンコ台島では、現場での作業期間を短縮できるため、開店や改装を遅延させることが無くなり、稼働効率を向上させることができるなどの特長が得られる効果がある。
【図面の簡単な説明】
図面中、図１〜図１４はこの発明の実施例を、また、図１５〜図２３は従来技術を示し、各図の内容は次のとおりである。
【図１】要部構成横断平面図
【図２】要部構成分解状態斜視図
【図３】要部構成分解状態・組立状態斜視図
【図４】要部構成分解状態・組立状態斜視図
【図５】要部構成分解状態斜視図
【図６】要部構成分解状態斜視・横断平面・分解状態背面図
【図７】要部構成分解状態斜視図
【図８】要部構成分解状態斜視図
【図９】要部構成横断平面図
【図１０】要部構成分解状態斜視図
【図１１】要部構成分解状態斜視図
【図１２】要部構成分解状態斜視図
【図１３】要部構成横断平面図
【図１４】要部構成分解状態斜視図
【図１５】全体構成正面図
【図１６】全体構成縦断側面・横断平面図
【図１７】要部構成内部斜視図
【図１８】要部構成斜視図
【図１９】要部構成縦断側面図
【図２０】全体構成正面図
【図２１】要部構成横断平面図
【図２２】要部構成背面部分断面斜視図
【図２３】要部構成背面部分断面斜視図
【符号の説明】
１０  硬貨
１１Ａ・１１Ｂ  プーリ
１２  ベルト
１３  案内部分
１３Ａ  案内体
１３Ａ１  水平部分
１３Ｂ  蓋体
１３Ｃ  蓋体
２０  搬送路
２０Ａ  分割搬送路
２０ａ  背面
２０ｂ  通路
２０Ｘ  硬貨入込部分
２０Ｙ  硬貨出口
２０Ｚ  接続箇所
２０Ｚ１  入込穴
２１  硬貨入口
２２  導入路
２２Ｌ  曲管状体
２２Ｌ１  導管部分
２２Ｌ２  導管部分
２２Ｐ  管状体
２２Ｒ  端末接続用部材
２２Ｓ  端末接続用部材
２２Ｓ１  保持部分
２２Ｓ２  固定枠部分
２２Ｔ  上端固定用部材
２２Ｚ２  蓋体
２２ａ  通路
２２ｂ  取付穴
２２ｃ  ねじ穴
２２ｄ  取付穴
２２ｅ  ねじ穴
２２ｆ  取付ねじ
２２ｇ  引っ掛け溝
２２ｈ  ねじ穴
２２ｊ  取付ねじ
２２ｋ  上端部分
２２ｍ  引っ掛け溝
２２ｎ  取付ねじ
２２ｐ  ねじ穴
２２ｗ  鋼線
２２ｘ  屈曲箇所
２３  連動機構
２４  補助路
２５  分離ローラ
２５Ａ  突条
２５Ｂ  隙間
２６  駆動部分
２６Ａ  駆動モータ
２６Ｂ  減速伝動機構
３０  紙幣
３０Ｘ  紙幣入込部分
３１  紙幣入口
４０  玉貸機
４０Ａ  本体部分
４０Ｂ  外枠部分
５０  外箱
５０Ａ  台枠部分
５０Ｂ  蓋枠部分
５１  壁部
６０  転向部分
６１  隙間
７０Ｘ  遊技球送出部分
８０  収納部分
８０Ａ  収納口
８１  計数部分
８２  貯留箱
８３  保護覆
１００  パチンコ台
２００  硬貨搬送装置
３００  紙幣搬送路
５００  パチンコ台島装置
Ｂ１１  幅
Ｂ１２  幅
Ｂ１３  幅
Ｄ１  長径
Ｄ２  短径
Ｄｘ  外径・直径
ｄ１  長径
ｄ２  短径
Ｌ１  長さ
Ｌ２  長さ
Ｌｔ  長さ
Ｌｖ  直交方向装備距離
Ｌｘ  搬送方向装備距離
Ｌｙ  接続距離
Ｌｚ  全長
Ｌｒ  長さ
Ｌｓ  距離
Ｍ  搬送方向
Ｐ１  間隔
Ｒ  曲率１／Ｒの半径
Ｒ１１  半径
Ｒ２１  半径
Ｓ  導入路の方向
ｓ１  基体部分
ｓ２  開口部分
ｓ３  掛け爪
ｓ４  突条
ｓ５  張出部分
ｓ１１  貫通穴
ｓ２１  張出部分
ｓ２２  張出部分
ｕ１  枠体部分
ｕ１ａ  上面
ｕ２  開口部分
ｕ３・ｕ４  張出部分
ｕ５  貫通穴
ｕ６  ねじ穴
ｕ７  締付用ねじ
ｕ９  内端側
ｕ１０  外側端
ｕ１１・ｕ１２  壁部
ｕ１３  凹部
ｕ１４  掛け爪
ｕ１５  舌状部分
ｕ２１・ｕ２２  張出部分
ｕ２３  取付穴
ｖ１  円形穴
ｖ２  間座
ｖ３  入込穴
ｖ４  ねじ穴
ｖ５  取付ねじ
ｖ６  長穴
ｖ７  ねじ穴
ｖ１１  入込穴
ｖ１３  間座
ｖ１４  ねじ穴
ｖ１５  取付ねじ
ｖ１６  取付穴
ｖ１７  取付ねじ
ｖ１８  扇形穴
ｖ１９  ねじ穴
ｖ２０  切欠穴
ｖ２１  間座
ｖ２２  移動入込用長穴
ｖ２３  移動固定用長穴
ｖ２４  切欠穴
ｖ２５  ねじ穴
ｖ２６  取付ねじ
Ｗ  幅
θ１・θ２・θ３  傾斜角度
θ１１・θ１２  交差角度
【図１】
0004849741.tif 000002
【図２】
0004849741.tif 000003
【図３】
0004849741.tif 000004
【図４】
0004849741.tif 000005
【図５】
0004849741.tif 000006
【図６】
0004849741.tif 000007
【図７】
0004849741.tif 000008
【図８】
0004849741.tif 000009
【図９】
0004849741.tif 000010
【図１０】
0004849741.tif 000011
【図１１】
0004849741.tif 000012
【図１２】
0004849741.tif 000013
【図１３】
0004849741.tif 000014
【図１４】
0004849741.tif 000015
【図１５】
0004849741.tif 000016
【図１６】
0004849741.tif 000017
【図１７】
0004849741.tif 000018
【図１８】
0004849741.tif 000019
【図１９】
0004849741.tif 000020
【図２０】
0004849741.tif 000021
【図２１】
0004849741.tif 000022
【図２２】
0004849741.tif 000023
【図２３】
0004849741.tif 000024